【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
形状を用いてディジタル画像のアピアランスを変更する方法であって、
第１編集モードを提供するステップであって、前記ディジタル画像のアピアランスを変えるために、第１組のユーザ・インターフェース制御部が利用可能であり、前記ディジタル画像とは独立して、マスク形状のアピアランスを変えるために、第２組のユーザ・インターフェース制御部が利用可能である、ステップと、
クロッピング要求を受けるステップと、
前記要求を受けたことに応答して、前記ディジタル画像を前記マスク形状にマッピングすることによって、マスク・クロッピングされた形状を作成するステップと、
を含む、方法。
【請求項２】
請求項１記載の方法において、前記マスク形状を前記ディジタル画像に適用する要求を受けたことに応答して、前記第１編集モードに入る、方法。
【請求項３】
請求項１または２に記載の方法において、前記マスク形状に前記ディジタル画像を充填する要求を受けたことに応答して、前記第１編集モードに入る、方法。
【請求項４】
請求項１から３のいずれかに記載の方法において、前記クロッピング要求は、前記第１編集モードを終了する要求を含む、方法。
【請求項５】
請求項１から４のいずれかに記載の方法において、前記第１組のユーザ・インターフェース制御部は、前記マスク形状とは独立して、前記ディジタル画像のサイズ、位置、および回転を変えるユーザ・インターフェース制御部を含む、方法。
【請求項６】
請求項１から５のいずれかに記載の方法において、前記第２組のユーザ・インターフェース制御部は、前記ディジタル画像とは独立して、前記マスク形状のサイズ、位置、および回転を変えるユーザ・インターフェース制御部を含む、方法。
【請求項７】
請求項１から６のいずれかに記載の方法において、前記マスク形状の外側に位置する前記ディジタル画像の部分を表示して、前記第１編集モードを終了したときに、当該部分がクロッピングされることを示す、方法。
【請求項８】
請求項１から７のいずれかに記載の方法であって、更に、前記要求を受けたことに応答して、
第２編集モードを提供するステップであって、前記マスク・クロッピングされた形状のアピアランスを変えるために第３組のユーザ・インターフェース制御部が利用可能である、ステップを含む、方法。
【請求項９】
請求項８記載の方法において、前記第３組のユーザ・インターフェース制御部は、前記マスク・クロッピングされた形状のサイズ、位置、および回転を変えるユーザ・インターフェース制御部を含む、方法。
【請求項１０】
請求項８または９に記載の方法であって、更に、前記マスク・クロッピングされた形状に効果を適用するステップを含む、方法。
【請求項１１】
請求項１０記載の方法であって、更に、前記マスク形状の幾何学的形状を編集するために１つ以上のユーザ・インターフェース制御部を設けるステップを含む、方法。
【請求項１２】
コンピューター実行可能命令が格納されたコンピューター読み取り可能記憶媒体であって、前記コンピューター実行可能命令がコンピューターによって実行されると、当該コンピューターに、
第１編集モードを提供させて、マスク形状のアピアランスとは独立して、ディジタル画像のアピアランスを変えることを可能とし、
クロッピング要求を受けさせ、
前記クロッピング要求を受けたことに応答して、前記ディジタル画像を前記マスク形状にマッピングさせることによって、マスク・クロッピングされた形状を作成させ、更に、第２編集モードを提供させて、前記マスク・クロッピングされた形状のアピアランスを変えることを可能とする、
コンピューター読み取り可能記憶媒体。
【請求項１３】
請求項１２記載のコンピューター読み取り可能記憶媒体であって、更に、前記コンピューターによって実行されると、前記マスク形状を前記ディジタル画像に充填する要求を受けたことに応答して、更に前記マスク形状を前記ディジタル画像に適用する要求を受けたことに応答して、前記コンピューターに前記第１編集モードに入らせるコンピューター読み取り可能命令を含む、コンピューター読み取り可能記憶媒体。
【請求項１４】
請求項１２または１３に記載のコンピューター読み取り可能記憶媒体であって、更に、前記コンピューターによって実行されると、クロッピング要求を受けたときに、該コンピューターに、前記マスク形状の外側に位置する前記ディジタル画像の部分を、当該部分がクロッピングされることを示す方法で表示させるコンピューター読み取り可能命令を含む、コンピューター読み取り可能記憶媒体。
【請求項１５】
請求項１２から１４のいずれかに記載のコンピューター読み取り可能記憶媒体であって、更に、前記コンピューターによって実行されると、前記第１編集モードにおいて、前記マスク形状とは独立して、前記ディジタル画像のサイズ、位置、および回転を変える第１組のユーザ・インターフェース制御部と、前記ディジタル画像とは独立して、前記マスク形状のサイズ、位置、および回転を変える第２組のユーザ・インターフェース制御部とを、前記コンピューターに提供させるコンピューター読み取り可能命令を含む、コンピューター読み取り可能記憶媒体。
【請求項１６】
請求項１５記載のコンピューター読み取り可能記憶媒体であって、更に、前記コンピューターによって実行されると、前記第２編集モードにおいて、前記マスク・クロッピングされた形状のサイズ、位置、および回転を変える第３組のユーザ・インターフェース制御部を前記コンピューターに提供させるコンピューター読み取り可能命令を含む、コンピューター読み取り可能記憶媒体。
【請求項１７】
請求項１５または１６に記載のコンピューター読み取り可能記憶媒体であって、更に、前記コンピューターによって実行されると、前記第２編集モードにおいて、前記コンピューターにエッジ効果を前記マスク・クロッピングされた形状のエッジに適用させるコンピューター読み取り可能命令を含む、コンピューター読み取り可能記憶媒体。
【請求項１８】
形状を用いてディジタル画像のアピアランスを変更する方法であって、
マスク編集動作モードにおいて、マスク形状のサイズ、位置、および回転とは独立して、前記ディジタル画像のサイズ、位置、および回転を変える第１組のユーザ・インターフェース制御部を提供するステップと、
前記マスク編集動作モードにおいて、前記ディジタル画像のサイズ、位置、および回転とは独立して、前記マスク形状のサイズ、位置、および回転を変える第２組のユーザ・インターフェース制御部を提供するステップと、
前記マスク編集動作モードにある間に、クロッピング要求を受けたときに、前記マスク形状の外側の前記ディジタル画像の部分を、当該部分がクロッピングされることを示す方法で表示するステップと、
クロッピング要求を受けるステップと、
前記クロッピング要求を受けたことに応答して、前記ディジタル画像を前記マスク形状にマッピングすることによって、前記部分をクロッピングしてマスク・クロッピングされた形状を作成し、前記マスク・クロッピングされた形状のサイズ、位置、および回転を変えるために第３組のユーザ・インターフェース制御部を提供される通常編集モードに入るステップと、
を含む、方法。
【請求項１９】
請求項１８記載の方法であって、更に、前記通常編集モードにある間に、前記マスク・クロッピングされた形状のエッジに１つ以上の効果を適用するステップを含む、方法。